【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法において、
少なくとも現在のスロット中の１つ以上のシンボルが、アップリンクに対するものであるか、または、ダウンリンクに対するものであるかを示す、スロットフォーマットインジケータ（ＳＦＩ）を伝えるダウンリンク制御チャネルを受信することを含み、
前記ＳＦＩと競合するスケジューリングされた送信を決定することと、
前記受信したＳＦＩに基づいて、または、前記スケジューリングされた送信の方向に基づいて、前記１つ以上のシンボルの方向をアップリンクまたはダウンリンクとして決定することと、
前記１つ以上のシンボルに対して決定した方向に基づいて、前記１つ以上のシンボル中で送信または受信することとを含むことにより特徴付けられる方法。
【請求項２】
前記ダウンリンク制御チャネルは、グループ共通物理ダウンリンク制御チャネル（ＧＣ  ＰＤＣＣＨ）を含む請求項１記載の方法。
【請求項３】
前記送信は、受信したダウンリンク制御情報（ＤＣＩ）によってスケジューリングされ、
前記１つ以上のシンボルの方向を決定することは、前記ＤＣＩによってスケジューリングされた送信の方向に優先権を与えることを含む請求項１記載の方法。
【請求項４】
前記ＳＦＩによって非アップリンクとして示されるシンボル中で送信するように前記ＵＥをスケジューリングする、または、前記ＳＦＩによって非ダウンリンクとして示されるシンボル中で受信するように前記ＵＥをスケジューリングする、前記ＤＣＩ中の許可または前記ＤＣＩ中のＡＣＫ／ＮＡＣＫタイミング情報のうちの少なくとも１つによって、前記送信はスケジューリングされる請求項３記載の方法。
【請求項５】
前記送信は、受信したダウンリンク制御情報（ＤＣＩ）によってスケジューリングされ、
前記１つ以上のシンボルの方向を決定することは、
前記ＤＣＩが以前のスロット中で受信されていた場合、前記ＳＦＩに優先権を与えることと、
前記ＤＣＩが前記現在のスロット中で受信された場合、前記ＤＣＩに優先権を与えることとを含む請求項１記載の方法。
【請求項６】
前記スケジューリングされた送信は、前記ＳＦＩによってアップリンク、予約済、または、空として示されている前記シンボルのうちの１つにおけるダウンリンク周期信号、あるいは、前記ＳＦＩによってダウンリンク、予約済、または、空として示されている前記シンボルのうちの１つにおけるアップリンク周期信号のうちの少なくとも１つを含む請求項１記載の方法。
【請求項７】
前記周期信号は、チャネル状態情報基準信号（ＣＳＩ−ＲＳ）、１次同期信号（ＰＳＳ）、２次同期信号（ＳＳＳ）、物理ブロードキャストチャネル（ＰＢＣＨ）、半永続スケジューリング（ＳＰＳ）、サウンディング基準信号（ＳＲＳ）、または、チャネル状態情報（ＣＳＩ）を伝える物理アップリンク制御チャネル（ＰＵＣＣＨ）のうちの少なくとも１つを含む請求項６記載の方法。
【請求項８】
前記周期信号に対してスケジューリングされたシンボルに対する許可を含むダウンリンク制御情報（ＤＣＩ）を受信することをさらに含み、
前記１つ以上のシンボルの方向を決定することは、前記ＤＣＩ中の許可に基づいて、前記シンボルの方向を決定することを含む請求項６記載の方法。
【請求項９】
前記１つ以上のシンボルの方向を決定することは、前記ＳＦＩがそのシンボルに対する方向を示す場合、前記ＳＦＩに基づいて、前記シンボルの方向を決定することを含む請求項６記載の方法。
【請求項１０】
前記１つ以上のシンボルの方向を決定することは、前記ＳＦＩが前記シンボルを空として示す場合、前記周期信号に基づいて、前記シンボルの方向を決定することを含む請求項６記載の方法。
【請求項１１】
前記１つ以上のシンボルの方向を決定することは、前記ＳＦＩが前記シンボルを予約済として示す場合、前記ＳＦＩに基づいて、前記シンボルの方向を決定することを含む請求項６記載の方法。
【請求項１２】
ワイヤレス通信のための装置において、
少なくとも現在のスロット中の１つ以上のシンボルが、アップリンクに対するものであるか、または、ダウンリンクに対するものであるかを示す、スロットフォーマットインジケータ（ＳＦＩ）を伝えるダウンリンク制御チャネルを受信する手段を具備し、
前記ＳＦＩと競合するスケジューリングされた送信を決定する手段と、
前記受信したＳＦＩに基づいて、または、前記スケジューリングされた送信の方向に基づいて、前記１つ以上のシンボルの方向をアップリンクまたはダウンリンクとして決定する手段と、
前記１つ以上のシンボルに対して決定した方向に基づいて、前記１つ以上のシンボル中で送信または受信する手段とを具備することにより特徴付けられる装置。
【手続補正２】
【補正対象書類名】明細書
【補正対象項目名】００８６
【補正方法】変更
【補正の内容】
【００８６】
［００９６］
特許請求の範囲が、上記に示したまさにそのコンフィギュレーションおよびコンポーネントに限定されないことを理解すべきである。さまざまな修正、変更、および、バリエーションが、上記で説明した方法ならびに装置の構成、動作、および、詳細において、特許請求の範囲から逸脱することなく行われてもよい。
以下に、本願出願の当初の特許請求の範囲に記載された発明を付記する。
［１］  ユーザ機器（ＵＥ）によるワイヤレス通信のための方法において、
少なくとも現在のスロット中の１つ以上のシンボルが、アップリンクに対するものであるか、または、ダウンリンクに対するものであるかを示す、スロットフォーマットインジケータ（ＳＦＩ）を伝えるダウンリンク制御チャネルを受信することと、
前記ＳＦＩと競合するスケジューリングされた送信を決定することと、
前記受信したＳＦＩに基づいて、または、前記スケジューリングされた送信の方向に基づいて、前記１つ以上のシンボルの方向をアップリンクまたはダウンリンクとして決定することと、
前記１つ以上のシンボルに対して決定した方向に基づいて、前記１つ以上のシンボル中で送信または受信することとを含む方法。
［２］  前記ダウンリンク制御チャネルは、グループ共通物理ダウンリンク制御チャネル（ＧＣ  ＰＤＣＣＨ）を含む［１］記載の方法。
［３］  前記送信は、受信したダウンリンク制御情報（ＤＣＩ）によってスケジューリングされ、
前記１つ以上のシンボルの方向を決定することは、前記ＤＣＩによってスケジューリングされた送信の方向に優先権を与えることを含む［１］記載の方法。
［４］  前記ＳＦＩによって非アップリンクとして示されるシンボル中で送信するように前記ＵＥをスケジューリングする、または、前記ＳＦＩによって非ダウンリンクとして示されるシンボル中で受信するように前記ＵＥをスケジューリングする、前記ＤＣＩ中の許可または前記ＤＣＩ中のＡＣＫ／ＮＡＣＫタイミング情報のうちの少なくとも１つによって、前記送信はスケジューリングされる［３］記載の方法。
［５］  前記送信は、受信したダウンリンク制御情報（ＤＣＩ）によってスケジューリングされ、
前記１つ以上のシンボルの方向を決定することは、
前記ＤＣＩが以前のスロットで受信されていた場合、前記ＳＦＩに優先権を与えることと、
前記ＤＣＩが前記現在のスロットで受信された場合、前記ＤＣＩに優先権を与えることとを含む［１］記載の方法。
［６］  前記スケジューリングされた送信は、前記ＳＦＩによってアップリンク、予約済、または、空として示されている前記シンボルのうちの１つにおけるダウンリンク周期信号、あるいは、前記ＳＦＩによってダウンリンク、予約済、または空として示されている前記シンボルのうちの１つにおけるアップリンク周期信号のうちの少なくとも１つを含む［１］記載の方法。
［７］  前記周期信号は、チャネル状態情報基準信号（ＣＳＩ−ＲＳ）、１次同期信号（ＰＳＳ）、２次同期信号（ＳＳＳ）、物理ブロードキャストチャネル（ＰＢＣＨ）、半永続スケジューリング（ＳＰＳ）、サウンディング基準信号（ＳＲＳ）、または、チャネル状態情報（ＣＳＩ）を伝える物理アップリンク制御チャネル（ＰＵＣＣＨ）のうちの少なくとも１つを含む［６］記載の方法。
［８］  前記周期信号に対してスケジューリングされたシンボルに対する許可を含むダウンリンク制御情報（ＤＣＩ）を受信することをさらに含み、
前記１つ以上のシンボルの方向を決定することは、前記ＤＣＩ中の許可に基づいて、前記シンボルの方向を決定することを含む［６］記載の方法。
［９］  前記１つ以上のシンボルの方向を決定することは、前記ＳＦＩがそのシンボルに対する方向を示す場合、前記ＳＦＩに基づいて、前記シンボルの方向を決定することを含む［６］記載の方法。
［１０］  前記１つ以上のシンボルの方向を決定することは、前記ＳＦＩが前記シンボルを空として示す場合、前記周期信号に基づいて、前記シンボルの方向を決定することを含む［６］記載の方法。
［１１］  前記１つ以上のシンボルの方向を決定することは、前記ＳＦＩが前記シンボルを予約済として示す場合、前記ＳＦＩに基づいて、前記シンボルの方向を決定することを含む［６］記載の方法。
［１２］  ワイヤレス通信のための装置において、
少なくとも現在のスロット中の１つ以上のシンボルが、アップリンクに対するものであるか、または、ダウンリンクに対するものであるかを示す、スロットフォーマットインジケータ（ＳＦＩ）を伝えるダウンリンク制御チャネルを受信する手段と、
前記ＳＦＩと競合するスケジューリングされた送信を決定する手段と、
前記受信したＳＦＩに基づいて、または、前記スケジューリングされた送信の方向に基づいて、前記１つ以上のシンボルの方向をアップリンクまたはダウンリンクとして決定する手段と、
前記１つ以上のシンボルに対して決定した方向に基づいて、前記１つ以上のシンボル中で送信または受信する手段とを具備する装置。
［１３］  前記ダウンリンク制御チャネルは、グループ共通物理ダウンリンク制御チャネル（ＧＣ  ＰＤＣＣＨ）を含む［１２］記載の装置。
［１４］  前記送信は、受信したダウンリンク制御情報（ＤＣＩ）によってスケジューリングされ、
前記１つ以上のシンボルの方向を決定する手段は、前記ＤＣＩによってスケジューリングされた送信の方向に優先権を与える手段を備える［１２］記載の装置。
［１５］  前記ＳＦＩによって非アップリンクとして示されるシンボル中で送信するように前記ＵＥをスケジューリングする、または、前記ＳＦＩによって非ダウンリンクとして示されるシンボル中で受信するように前記ＵＥをスケジューリングする、前記ＤＣＩ中の許可または前記ＤＣＩ中のＡＣＫ／ＮＡＣＫタイミング情報のうちの少なくとも１つによって、前記送信はスケジューリングされる［１４］記載の装置。
［１６］  前記送信は、受信したダウンリンク制御情報（ＤＣＩ）によってスケジューリングされ、
前記１つ以上のシンボルの方向を決定する手段は、
前記ＤＣＩが以前のスロットで受信されていた場合、前記ＳＦＩに優先権を与える手段と、
前記ＤＣＩが前記現在のスロットで受信された場合、前記ＤＣＩに優先権を与える手段とを備える［１２］記載の装置。
［１７］  前記スケジューリングされた送信は、前記ＳＦＩによってアップリンク、予約済、または、空として示されている前記シンボルのうちの１つにおけるダウンリンク周期信号、あるいは、前記ＳＦＩによってダウンリンク、予約済、または空として示されている前記シンボルのうちの１つにおけるアップリンク周期信号のうちの少なくとも１つを含む［１２］記載の装置。
［１８］  前記周期信号は、チャネル状態情報基準信号（ＣＳＩ−ＲＳ）、１次同期信号（ＰＳＳ）、２次同期信号（ＳＳＳ）、物理ブロードキャストチャネル（ＰＢＣＨ）、半永続スケジューリング（ＳＰＳ）、サウンディング基準信号（ＳＲＳ）、または、チャネル状態情報（ＣＳＩ）を伝える物理アップリンク制御チャネル（ＰＵＣＣＨ）のうちの少なくとも１つを含む［１７］記載の装置。
［１９］  前記周期信号に対してスケジューリングされたシンボルに対する許可を含むダウンリンク制御情報（ＤＣＩ）を受信する手段をさらに具備し、
前記１つ以上のシンボルの方向を決定する手段は、前記ＤＣＩ中の許可に基づいて、前記シンボルの方向を決定する手段を備える［１７］記載の装置。
［２０］  前記１つ以上のシンボルの方向を決定する手段は、前記ＳＦＩがそのシンボルに対する方向を示す場合、前記ＳＦＩに基づいて、前記シンボルの方向を決定する手段を備える［１７］記載の装置。
［２１］  前記１つ以上のシンボルの方向を決定する手段は、前記ＳＦＩが前記シンボルを空として示す場合、前記周期信号に基づいて、前記シンボルの方向を決定する手段を備える［１７］記載の装置。
［２２］  前記１つ以上のシンボルの方向を決定する手段は、前記ＳＦＩが前記シンボルを予約済として示す場合、前記ＳＦＩに基づいて、前記シンボルの方向を決定する手段を備える［１７］記載の装置。
［２３］  ワイヤレス通信のための装置において、
少なくとも現在のスロット中の１つ以上のシンボルが、アップリンクに対するものであるか、または、ダウンリンクに対するものであるかを示す、スロットフォーマットインジケータ（ＳＦＩ）を伝えるダウンリンク制御チャネルを受信するように構成されているトランシーバと、
メモリに結合されている少なくとも１つのプロセッサとを具備し、
前記少なくとも１つのプロセッサは、
前記ＳＦＩと競合するスケジューリングされた送信を決定し、
前記受信したＳＦＩに基づいて、または、前記スケジューリングされた送信の方向に基づいて、前記１つ以上のシンボルの方向をアップリンクまたはダウンリンクとして決定するように構成され、
前記トランシーバは、前記１つ以上のシンボルに対して決定した方向に基づいて、前記１つ以上のシンボル中で送信または受信するようにさらに構成されている装置。
［２４］  前記ダウンリンク制御チャネルは、グループ共通物理ダウンリンク制御チャネル（ＧＣ  ＰＤＣＣＨ）を含む［２３］記載の装置。
［２５］  前記送信は、受信したダウンリンク制御情報（ＤＣＩ）によってスケジューリングされ、
前記少なくとも１つのプロセッサは、前記ＤＣＩによってスケジューリングされた送信の方向に優先権を与えることによって、前記１つ以上のシンボルの方向を決定するように構成されている［２３］記載の装置。
［２６］  前記ＳＦＩによって非アップリンクとして示されるシンボル中で送信するように前記ＵＥをスケジューリングする、または、前記ＳＦＩによって非ダウンリンクとして示されるシンボル中で受信するように前記ＵＥをスケジューリングする、前記ＤＣＩ中の許可または前記ＤＣＩ中のＡＣＫ／ＮＡＣＫタイミング情報のうちの少なくとも１つによって、前記送信はスケジューリングされる［２５］記載の装置。
［２７］  前記送信は、受信したダウンリンク制御情報（ＤＣＩ）によってスケジューリングされ、
前記少なくとも１つのプロセッサは、
前記ＤＣＩが以前のスロットで受信されていた場合、前記ＳＦＩに優先権を与えることによって、
前記ＤＣＩが前記現在のスロットで受信された場合、前記ＤＣＩに優先権を与えることによって、
前記１つ以上のシンボルの方向を決定するように構成されている［２３］記載の装置。
［２８］  前記スケジューリングされた送信は、前記ＳＦＩによってアップリンク、予約済、または、空として示されている前記シンボルのうちの１つにおけるダウンリンク周期信号、あるいは、前記ＳＦＩによってダウンリンク、予約済、または空として示されている前記シンボルのうちの１つにおけるアップリンク周期信号のうちの少なくとも１つを含む［２３］記載の装置。
［２９］  前記周期信号は、チャネル状態情報基準信号（ＣＳＩ−ＲＳ）、１次同期信号（ＰＳＳ）、２次同期信号（ＳＳＳ）、物理ブロードキャストチャネル（ＰＢＣＨ）、半永続スケジューリング（ＳＰＳ）、サウンディング基準信号（ＳＲＳ）、または、チャネル状態情報（ＣＳＩ）を伝える物理アップリンク制御チャネル（ＰＵＣＣＨ）のうちの少なくとも１つを含む［２８］記載の装置。
［３０］  前記送信機は、前記周期信号に対してスケジューリングされたシンボルに対する許可を含むダウンリンク制御情報（ＤＣＩ）を受信するように構成され、
前記少なくとも１つのプロセッサは、前記ＤＣＩ中の許可に基づいて、前記シンボルの方向を決定するように構成されている［２８］記載の装置。
［３１］  前記少なくとも１つのプロセッサは、前記ＳＦＩがそのシンボルに対する方向を示す場合、前記ＳＦＩに基づいて、前記シンボルの方向を決定することによって、前記１つ以上のシンボルの方向を決定するように構成されている［２８］記載の装置。
［３２］  前記少なくとも１つのプロセッサは、前記ＳＦＩが前記シンボルを空として示す場合、前記周期信号に基づいて、前記シンボルの方向を決定することによって、前記１つ以上のシンボルの方向を決定するように構成されている［２８］記載の装置。
［３３］  前記少なくとも１つのプロセッサは、前記ＳＦＩが前記シンボルを予約済として示す場合、前記ＳＦＩに基づいて、前記シンボルの方向を決定することによって、前記１つ以上のシンボルの方向を決定するように構成されている［２８］記載の装置。
［３４］  ユーザ機器（ＵＥ）によるワイヤレス通信のための方法において、
スロットフォーマットインジケータ（ＳＦＩ）とスロットアグリゲーションレベルの表示とを含むダウンリンク制御チャネルを受信することと、
前記受信したＳＦＩと前記スロットアグリゲーションレベルとに基づいて、現在のスロットのフォーマットを決定することとを含む方法。
［３５］  前記受信したＳＦＩと前記スロットアグリゲーションレベルとに基づいて、１つ以上の将来のスロットのフォーマットを決定することをさらに含む［３４］記載の方法。
［３６］  前記ダウンリンク制御チャネルは、グループ共通物理ダウンリンク制御チャネル（ＧＣ  ＰＤＣＣＨ）を含む［３４］記載の方法。
［３７］  どのシンボルがアップリンクに対するものであり、どのシンボルがダウンリンクに対するものであるかを含む、アグリゲーションされるスロットのフォーマットに関連する情報を前記ＳＦＩは含む［３４］記載の方法。
［３８］  前記ダウンリンク制御チャネルは、アグリゲーションされるスロットの最初のスロット中でのみ受信される［３４］記載の方法。
［３９］  前記ＳＦＩ中の情報がダウンリンク制御情報（ＤＣＩ）中の情報と競合するか否かを決定することと、
前記ＤＣＩ中の情報に優先権を与えることとをさらに含む［３４］記載の方法。
［４０］  前記ＳＦＩ中の情報がダウンリンク制御情報（ＤＣＩ）中の情報と競合するか否かを決定することと、
前記ＤＣＩが以前のスロットで受信されていた場合、前記ＳＦＩ中の情報に優先権を与えることとをさらに含む［３４］記載の方法。
［４１］  シンボルに対する前記ＳＦＩによって示されるシンボルに対する送信方向が、そのシンボル中で送信されることになる周期シグナリングの送信方向と競合するか否かを決定することと、
前記シンボルに対して適用する送信方向を決定することとをさらに含む［３４］記載の方法。
［４２］  そのシンボルに対する許可を有するダウンリンク制御情報（ＤＣＩ）が受信された場合、前記適用する送信方向は、前記ＤＣＩに基づいて決定される［４１］記載の方法。
［４３］  そのシンボルに対する許可を有するＤＣＩが受信されなかった場合、前記適用する送信方向は、前記ＳＦＩに基づいて決定される［４２］記載の方法。
［４４］  そのシンボルに対する許可を有するＤＣＩが受信されず、前記ＳＦＩが空である場合、前記適用する送信方向は、前記周期シグナリングに基づいて決定される［４２］記載の方法。
［４５］  そのシンボルに対する許可を有するダウンリンク制御情報（ＤＣＩ）が現在のスロットで受信された場合、前記適用する送信方向は、前記ＤＣＩに基づいて決定される［４１］記載の方法。
［４６］  そのシンボルに対する許可を有するＤＣＩが前記現在のスロットで受信されなかった場合、前記適用する送信方向は、前記ＳＦＩに基づいて決定される［４５］記載の方法。
［４７］  そのシンボルに対する許可を有するＤＣＩが前記現在のスロットで受信されず、前記ＳＦＩが空である場合、前記適用する送信方向は、前記周期シグナリングに基づいて決定される［４５］記載の方法。
［４８］  基地局（ＢＳ）によるワイヤレス通信のための方法において、
スロットアグリゲーションレベルとアグリゲーションされるスロットのフォーマットとを決定することと、
前記アグリゲーションされるスロットのフォーマットを示すスロットフォーマットインジケータ（ＳＦＩ）と前記スロットアグリゲーションレベルの表示とを含むダウンリンク制御チャネルを送ることとを含む方法。
［４９］  前記ダウンリンク制御チャネルは、グループ共通物理ダウンリンク制御チャネル（ＧＣ  ＰＤＣＣＨ）を含む［４８］記載の方法。
［５０］  どのシンボルがアップリンクに対するものであり、どのシンボルがダウンリンクに対するものであるかを含む、前記アグリゲーションされるスロットのフォーマットに関連する情報を前記ＳＦＩは含む［４８］記載の方法。
［５１］  前記ダウンリンク制御チャネルは、前記アグリゲーションされるスロットの最初のスロット中でのみ送られる［４８］記載の方法。